(57)【特許請求の範囲】
【請求項１】
岩盤内を掘削することにより形成された貯蔵槽と、該貯蔵槽と地表面とを連通するように設けられて前記岩盤を掘削して貯蔵槽を形成する際の作業用通路として用いられる作業坑とを備えてなる岩盤内貯蔵施設であって、
前記貯蔵槽の周囲に位置する岩盤に対して水圧を作用させるための水供給坑が、前記地表面から掘り下げられた立坑と、該立坑から側方へ延出するように設けられた横坑からなり、前記作業坑と独立して設けられていることを特徴とする岩盤内貯蔵施設。
【請求項２】
請求項１記載の岩盤内貯蔵施設であって、
前記貯蔵槽は、少なくとも一方向に延在する構成とされ、
該貯蔵槽の延在方向に沿って、前記水供給坑が複数設けられていることを特徴とする岩盤内貯蔵施設。
【請求項３】
請求項１または２記載の岩盤内貯蔵施設であって、
前記横坑は、該横坑から延出するボーリング孔を備えた構成とされていることを特徴とする岩盤内貯蔵施設。
【請求項４】
岩盤内を掘削することにより形成された貯蔵槽と、該貯蔵槽と地表面とを連通するように設けられて、前記岩盤を掘削して貯蔵槽を形成する際の作業用通路として用いられる作業坑とを備えてなる岩盤内貯蔵施設を構築するための構築方法であって、
前記地表面から前記作業坑を掘削すると同時に、前記地表面を掘り下げて立坑を形成し、該立坑から側方へ向けて横坑を形成し、さらに、該横坑から前記貯蔵槽の形成対象位置の周囲の岩盤に向けてボーリング孔を形成することにより、これら立坑、横坑、およびボーリング孔からなる水供給坑を形成し、
該水供給坑内に水を供給することによって、前記ボーリング孔を通じて前記岩盤に対して人工的に水圧を作用させておき、
しかる後に、前記貯蔵槽の掘削を開始することを特徴とする岩盤内貯蔵施設の構築方法。
【請求項５】
請求項４記載の岩盤内貯蔵施設の構築方法であって、
一の前記貯蔵槽に対して複数の前記水供給坑を設ける構成となっており、
これら水供給坑を、前記岩盤内における前記貯蔵槽の掘削開始対象位置の周辺側から前記貯蔵槽の掘削方向に向けて順次設けていくとともに、各前記水供給坑の掘削作業が終了するごとに、該水供給坑内に水を供給することにより、前記岩盤に人工的に水圧を作用させる作業を順次行っていき、
これら作業の進行に合わせて、前記岩盤内における前記水圧を作用させた部位を順次掘り進めていくことにより、前記貯蔵槽を完成させることを特徴とする岩盤内貯蔵施設の構築方法。
【発明の詳細な説明】
【０００１】
【発明の属する技術分野】
本発明は、岩盤内に高圧気体や液体を貯蔵するために用いられる岩盤内貯蔵施設およびその構築方法に関するものである。
【０００２】
【従来の技術】
近年、地下の岩盤空洞をそのまま利用し、空洞周辺の地下水圧により、液体あるいは高圧気体を貯蔵する、いわゆる水封方式を用いた貯蔵施設が実現している。
図２は、このような水封方式を用いた貯蔵施設の原理を示すための図である。図中に示す貯蔵施設１は、岩盤２内に形成された貯蔵槽３を有した構成とされており、貯蔵槽３には、貯蔵物の受け入れおよび払い出しを行うための管路４と、貯蔵気体圧力を一定に保つためのウォータベット５のレベルを調整するための水の供給・排出用の管路６とが備えられている。
このような貯蔵施設１においては、貯蔵気体Ｇの内圧Ｐ1より地下水圧Ｐ2が大きいことにより、気体Ｇの高圧貯蔵が実現される。
【０００３】
このように、水封方式を用いた貯蔵施設においては、地下水と貯蔵物とが直接接触するとともに、貯蔵圧より地下水圧を高くして、高圧貯蔵が実現される構成とされている。したがって、自然に存在する地下水だけでは十分な地下水圧を得ることが困難な場合には、空洞周辺の岩盤に対して人工的に地下水を供給してやる必要がある。
【０００４】
図３は、このように空洞周辺の岩盤に対して人工的に地下水を供給してやる、いわゆる人工水封方式を用いた岩盤内貯蔵施設の具体例を示したものである。図２中に示す岩盤内貯蔵施設８は、例えば、プロパンやブタン等の高圧気体を貯蔵する目的で構築されたものであり、岩盤２を掘削することにより設けられたトンネル状の貯蔵槽３，３と、これら貯蔵槽３，３と地表面９とを連通するように設けられるとともに、岩盤２を掘削して貯蔵槽３，３を形成する際の作業用通路として使用されるトンネル状の作業坑１０とを備えた構成とされている。
【０００５】
なお、貯蔵槽３の一方は、地表面９から６０〜９０ｍ程度の深度に設けられたブタン貯蔵槽とされ、もう一方は、地表面９から１００〜１５０ｍ程度の深度に設けられたプロパン貯蔵槽とされている。
【０００６】
作業坑１０は、トンネル本体１０ａと、トンネル本体１０ａから分岐して貯蔵槽３に至る分岐部１０ｂ，１０ｂ，…とを備えた構成とされており、分岐部１０ｂの中途には、貯蔵槽３内に高圧気体を封じ込めるためのプラグ１２，１２，…が設けられている。
【０００７】
さらに、貯蔵槽３と地表面９とを結ぶように、配管竪坑１３，１３が設けられ、配管竪坑１３，１３内には、貯蔵槽３への気体の供給および貯蔵槽３からの気体の排出を行うための、図示しない配管が配置されている。また、配管竪坑１３，１３の下端部１３ａ，１３ａには、プラグ１４が設けられ、これにより、貯蔵槽３内から配管竪坑１３，１３を介して高圧気体が外部へ漏れることが防がれる。
【０００８】
また、作業坑１０のトンネル本体１０ａから分岐して、貯蔵槽３の上方に至るように水封トンネル１６が設けられている。水封トンネル１６は、貯蔵槽３と略平行に配置されるとともに、水封トンネル１６から貯蔵槽３側へ向けて、ボーリング孔１７，１７，…が設けられた構成とされている。この際、ボーリング孔１７，１７，…は、貯蔵槽３の延在方向と略直交する方向に配置される。
なお、作業坑１０は、施設の完成後には水で満たされることとされる。
【０００９】
このような岩盤内貯蔵施設８において人工水封を施す際には、水封トンネル１６に水を満たすことよって、貯蔵槽３の周囲の岩盤２に対してボーリング孔１０，１０，を介して水を供給することとし、これにより、岩盤２において十分な地下水圧が得られるようにする。
【００１０】
【発明が解決しようとする課題】
上述のように人工水封を施す場合、人工水封の設置に先んじて貯蔵槽３を掘削して形成すると、貯蔵槽３の掘削に伴って、岩盤２内の自然地下水が失われてしまうことがある。この場合、その後に水を補充して地下水圧を高めようとしても、非常に時間がかかるか、または、補充が不可能であるため、人工水封が必要な場合には、貯蔵槽３の掘削を開始する以前に人工水封を設置しておく必要がある。
【００１１】
しかしながら、人工水封の設置それ自体にも相当の時間を要するために、貯蔵槽３の掘削をなかなか開始することができず、これにより貯蔵槽３の工程に悪影響が及ぼされるという問題が発生している。
【００１２】
そこで、貯蔵槽３の掘削を早期に開始するために、図４に示すように、まず、貯蔵槽３の掘削開始対象位置周辺の岩盤２にむけて延出するボーリング孔１７に対して水を注入し、次いで、ボーリング孔１７の基端部１７ａにパッカー１８を設置して、水封トンネル１６側からパッカー１８に挿通されたパイプ１９を介して水圧を採用させるといった手法も採用されている。しかし、この手法においては、水封トンネル１６側に水が漏出する心配がある。
【００１３】
また一方、上述のような岩盤内貯蔵施設８においては、岩盤２内において十分な地下水圧を得るため水位トンネル１１側から水圧を作用させようとする場合には、水封トンネル１６と作業坑１０との間に、作業坑１０側に水が漏出することを防止するための強度の高いプラグを設置する必要がある。したがって、このようなプラグ設置にかかる時間およびコストが必要となってしまう。
【００１４】
そこで、図５に示すように、水封トンネル１６と作業坑１０との間に堰２０を設け、水封トンネル１６内に水を満たすのみとする手法を採用することも多いが、この手法では、岩盤２内において十分な地下水圧が得られず、水封が完全でない可能性が高い。
【００１５】
また、上述の岩盤内貯蔵施設８においては、水封トンネル１６を新鮮岩盤中に設置することとなるために、地層の変化が激しい場合には、地層の変化の少ない深部の位置に合わせて水封トンネル１６を設置する必要があり、これにより、貯蔵槽４の設置深度が必要以上に大きくなり、建設コストの増大を招く懸念がある。
【００１６】
さらに、岩盤貯蔵施設８においては、水封トンネル１６を作業坑１０から分岐した構成としたために、水封トンネル１６が長くなり、工期を早める必要性から大型機械が必要となり、このため、トンネル断面が大きくなり、ずり処分も多く不経済となるだけでなく、地下水位も下がる可能性があり、グラウド等の対策を実施しなければならないという問題点がある。
【００１７】
本発明は、上記事情に鑑みなされたものであり、貯蔵槽の掘削を開始する以前に、人工水封を完全に設置することが可能であるとともに、建設にあたってのコストも嵩むものとならないような岩盤内貯蔵施設およびその構築方法を提供することを課題とする。
【００１８】
【課題を解決するための手段】
上記課題を解決するために本発明においては以下の手段を採用した。
すなわち、請求項１記載の岩盤内貯蔵施設は、岩盤内を掘削することにより形成された貯蔵槽と、該貯蔵槽と地表面とを連通するように設けられて前記岩盤を掘削して貯蔵槽を形成する際の作業用通路として用いられる作業坑とを備えてなる岩盤内貯蔵施設であって、
前記貯蔵槽の周囲に位置する岩盤に対して水圧を作用させるための水供給坑が、前記地表面から掘り下げられた立坑と、該立坑から側方へ延出するように設けられた横坑からなり、前記作業坑と独立して設けられていることを特徴とする。
【００１９】
上記のような構成とされるために、この岩盤内貯蔵施設においては、水供給坑の構築と同時に作業坑を構築することにより、貯蔵槽の掘削を開始する以前に水封を設置することが可能である。
【００２０】
請求項２記載の岩盤内貯蔵施設は、請求項１記載の岩盤内貯蔵施設であって、
前記貯蔵槽は、少なくとも一方向に延在する構成とされ、
該貯蔵槽の延在方向に沿って、前記水供給坑が複数設けられていることを特徴とする。
【００２１】
上記のような構成とされるために、この岩盤内貯蔵施設においては、貯蔵槽の掘削を開始しようとする位置から順次人工水封を設置していくことができる。
【００２２】
請求項３記載の岩盤内貯蔵施設は、請求項１または２記載の岩盤内貯蔵施設であって、
前記横坑は、該横坑から延出するボーリング孔を備えた構成とされていることを特徴とする。
【００２３】
上記のような構成とされているために、この岩盤内貯蔵施設においては、立坑および横坑をボーリング機械を搬入可能な大きさに形成すればよく、これら立坑および横坑を大規模なものとする必要がない。
【００２４】
請求項４記載の岩盤内貯蔵施設の構築方法は、岩盤内を掘削することにより形成された貯蔵槽と、該貯蔵槽と地表面とを連通するように設けられて、前記岩盤を掘削して貯蔵槽を形成する際の作業用通路として用いられる作業坑とを備えてなる岩盤内貯蔵施設を構築するための構築方法であって、
前記地表面から前記作業坑を掘削すると同時に、前記地表面を掘り下げて立坑を形成し、該立坑から側方へ向けて横坑を形成し、さらに、該横坑から前記貯蔵槽の形成対象位置の周囲の岩盤に向けてボーリング孔を形成することにより、これら立坑、横坑、およびボーリング孔からなる水供給坑を形成し、
該水供給坑内に水を供給することによって、少なくとも前記ボーリング孔側から前記岩盤に対して水圧を作用させておき、
しかる後に、前記貯蔵槽の掘削を開始することを特徴とする。
【００２５】
この岩盤貯蔵施設の構築方法においては、貯蔵槽の掘削以前に、貯蔵槽設置対象位置の周囲の岩盤に対して、完全に水封を設置することが可能であり、また、水封を設置するための水供給坑の構築作業を、作業坑の掘削と同時に行うことができるために、貯蔵槽の掘削工程に影響が及ぼされる心配がない。
【００２６】
請求項５記載の岩盤内貯蔵施設の構築方法は、請求項４記載の岩盤内貯蔵施設の構築方法であって、
一の前記貯蔵槽に対して複数の前記水供給坑を設ける構成となっており、
これら水供給坑を、前記岩盤内における前記貯蔵槽の掘削開始対象位置の周辺側から前記貯蔵槽の掘削方向に向けて順次設けていくとともに、各前記水供給坑の掘削作業が終了するごとに、該水供給坑内に水を供給することにより、前記岩盤に人工的に水圧を作用させる作業を順次行っていき、
これら作業の進行に合わせて、前記岩盤内における前記水圧を作用させた部位を順次掘り進めていくことにより、前記貯蔵槽を完成させることを特徴とする。
【００２７】
上記のような構成とされるために、この岩盤内貯蔵施設の構築方法においては、
貯蔵槽の掘削作業の進行に応じて、順次人工水封を設置していくことが可能であり、貯蔵槽が大規模であり、人工水封の水封の設置に比較的時間を要する場合において、水封の設置工程を、貯蔵槽の掘削工程と同時に進めていくことができる。
【００２８】
【発明の実施の形態】
以下、本発明の実施の形態の一例を、図面を参照して説明する。
なお、この実施の形態において、従来例として示した岩盤内貯蔵施設８と共通する構成については、同一符号を付し、その説明を省略することとする。
【００２９】
図１に示す岩盤内貯蔵施設２１は、従来のものと同様に、岩盤２を掘削することにより設けられたトンネル状の貯蔵槽３と、貯蔵槽３と地表面９とを連通するトンネル状の作業坑１０とを備えた構成とされている。また、作業坑１０は、トンネル本体１０ａと、トンネル本体１０ａから分岐して貯蔵槽３に至る分岐部１０ｂ，１０ｂ，…とを備えた構成とされており、分岐部１０ｂの中途には、貯蔵槽３内に高圧気体を封じ込めるためのプラグ１２，１２，…が設けられた構成とされている。さらに、貯蔵槽３と地表面９とを結ぶように、配管竪坑１３，１３が設けられ、配管竪坑１３，１３内には、図示しない配管が設置されるとともに、配管竪坑１３，１３の下端部１３ａ，１３ａには、プラグ１４，１４が設けられた構成とされている。
【００３０】
岩盤内貯蔵施設２１が、従来の岩盤内貯蔵施設１と異なる点は、従来の水封トンネル１６の代わりに、岩盤２内に水を供給するための水供給坑２２が作業坑１０と独立して設けられている点である。
【００３１】
水供給坑２２は、地表面９を掘り下げることによって形成された立坑２４と、立坑２４の下端部２４ａから側方へ延出するとともに、貯蔵槽３の上方に位置する横坑２５と、横坑２５から延出する複数のボーリング孔２６，２６，…を備えた構成とされている。また、図中に示すように、ボーリング孔２６，２６，…は、
横坑２５をその基端部２６ａとして、その先端部２６ｂが貯蔵槽３周辺の岩盤２に至る構成とされている。
【００３２】
なお、これら立坑２４、横坑２５、およびボーリング孔２６からなる水供給坑２２は、貯蔵槽３の延在方向（図中Ａ方向）に沿って複数（例えば２箇所）設けられている。
【００３３】
以上が本実施の形態の主要な構成であるが、次に、岩盤内貯蔵施設２１の構築方法についてを説明する。
まず、地表面９から岩盤２内の貯蔵槽３設置対象位置に向けて作業坑１０および水供給坑２２の掘削を開始する。このとき、水供給坑２２は、貯蔵槽３の掘削開始対象位置である端部３ａ（図１参照）の周辺の岩盤２に設置されるものを先に設けることとする。
【００３４】
水供給坑２２の形成は以下のように行われる。すなわち、まず、立坑２４および横坑２５を掘削し、これら立坑２４および横坑２５の掘削が終了したら、横坑２５内に図示しないボーリング機械を搬入して、横坑２５から延出するようにボーリング孔２６，２６，…を形成する。そして、ボーリング孔２６，２６，…の掘削の終了後に、ボーリング機械を水供給坑２２から搬出し、その後、水供給坑２２内に水を注入することにより、ボーリング孔２６，２６，…を通じて岩盤２に対して水圧を作用させる。これにより、岩盤２内の貯蔵槽３の端部３ａ側において人工水封が設置されることとなる。
【００３５】
また、このように、岩盤２内の貯蔵槽３の端部３ａ周辺において人工水封が設置されたら、貯蔵槽３の掘削をその端部３ａ側から図１中Ｂ方向に向けて開始する。
【００３６】
また、貯蔵槽３の掘削を開始する一方で、すでに設置の完了した水供給坑２２に対して貯蔵槽３の掘削進行方向（図１中Ｂ方向）側に位置するように、あらたに別の水供給坑２２を形成する。そして、水供給坑２２の掘削が終了する都度、水供給坑２２に対して水を供給してやることによって、岩盤２内において貯蔵槽３の端部３ａ側からＢ方向に順次人工水封が設置されるようにする。
【００３７】
また、貯蔵槽３の掘削は、岩盤２内において上述のように人工水封の設置が終了した部位から順次行うこととし、人工水封の設置作業の進行に合わせて、貯蔵槽３をＢ方向に順次掘り進めていき、最終的に貯蔵槽３を完成させる。
さらに、その一方で、貯蔵槽３の掘削と同時に、地表面９側から配管竪坑１３の掘削を合わせて行うこととする。
【００３８】
貯蔵槽３および配管竪坑１３の掘削が終了したら、作業坑１０の分岐部１０ｂ，１０ｂ，…に対してプラグ１２，１２，…を設置するとともに、配管竪坑１３内に図示しない配管を設置し、さらに、配管竪坑１３の下端部１３ａに対してプラグ１４を設置する。その後、作業坑１０を水で満たすとともに、貯蔵槽３内に対してブタンまたはプロパンを供給し、施設の供用を開始する。
【００３９】
上述の岩盤内貯蔵施設２１においては、水供給坑２２が作業坑１０と独立して設けられているために、作業坑１０と水供給坑２２の掘削を同時並行的に行うことができ、これにより、貯蔵槽３の掘削工程が人工水封の設置工程に影響されることなく、全体の工期を短縮することが可能である。
【００４０】
さらに、横坑２５および立坑２４内の水位を増加させるだけで、岩盤２に対して高い水圧を作用させることができるため、容易に高い水圧を作用させて水封を完全に行うことができる。また、この際、従来とは異なり、ボーリング孔２６から作業坑１０側に水が漏出する心配がないため、プラグや堰等の余分な対策費が必要とならない。
【００４１】
また、水供給坑２２を貯蔵槽３の延在方向に複数設けることとしたために、これら複数の水供給坑２２により、岩盤２内において貯蔵槽３の掘削を開始する端部３ａ側から順次人工水封を設置することができ、人工水封の設置作業に合わせて貯蔵槽３を掘り進めていくことにより、工期をより一層短縮化することが可能である。さらに、水供給坑２２の掘削用の機械を他の水供給坑２２を掘削する際にも転用することができることから、水封設置に係るコストの削減を図ることができる。
【００４２】
また、上述の岩盤内貯蔵施設２１においては、水供給坑２２を立坑２４、横坑２５、およびボーリング孔２６，２６，…からなる構成としたために、長尺のボーリング機械を用いるようにすれば、横坑２５の位置を必要以上に深くする必要がなくなる。さらに、立坑２４および横坑２５の寸法は、ボーリング機械を搬入して稼働できるだけの大きさに形成すればよく、これらのことにより、従来に比較して、掘削土量およびずり処分量を少なくすることができ、なおかつ、工期を短縮化することができる。したがって、従来に比較して建設コストの削減を図ることができる。
【００４３】
さらに、ボーリング機械の能力を選定することによって、横坑２５の深さ位置を限定する必要がなくなり、これにより、横坑２５を、岩盤２内における掘削の容易性や地質の安定性等を勘案して最良の位置に設置することが可能である。
【００４４】
また、上述の岩盤内貯蔵施設２１の構築方法においては、作業坑１０を掘削すると同時に水供給坑２２を形成し、さらに、水供給坑２２を用いて岩盤２内に対して人工的に水圧を作用させた後に、貯蔵槽３の掘削を開始する構成とされているために、作業坑１０の掘削工程と水供給坑２２の掘削工程とを同時期に行うことができ、作業坑１０の掘削工程の後に行われる貯蔵槽３の掘削工程が人工水封の設置工程の進行状況に影響を受ける心配がない。これにより、従来に比較して、工期を短縮化することが可能である。
【００４５】
さらに、上述の岩盤内貯蔵施設２１の構築方法は、貯蔵槽３の延在方向に水供給坑２２を順次形成していき、岩盤２内において貯蔵槽３の延在方向に人工水封を順次設置していく構成とされており、なおかつ、人工水封の設置作業の進行状況に合わせて、順次貯蔵槽３を掘削していくこととしたため、貯蔵槽３が大規模で人工水封の設置に比較的時間がかかる場合においても、貯蔵槽３の構築作業と人工水封の設置作業を同時並行的に行うことによって、工期の短縮化を図ることができる。さらに、この場合、水供給坑２２の掘削に必要な機械を、別の水供給坑２２を形成するにあたって順次転用していくことが可能であるために、建設コストの削減を併せて図ることができる。
【００４６】
なお、上記実施の形態において、岩盤内貯蔵施設２１の各所の構造や、その構築方法等について、本発明の主旨を逸脱しない範囲内で、他の構成を採用するようにしてもよい。
【００４７】
例えば、上記実施の形態において、岩盤内貯蔵施設２１は、プロパン及びブタンの双方を貯蔵する施設とされていたが、その代わりに、プロパンまたはブタンのいずれか一方を貯蔵する施設としてもよく、さらに、他の気体または液体を貯蔵する施設とするようにしても構わない。
また、上記実施の形態において、作業坑１０は、トンネル状に形成された構成とされていたが、その代わりに作業坑１０を立坑として形成するようにしてもよい。
【００４８】
【発明の効果】
以上説明したように、請求項１に係る岩盤内貯蔵施設においては、水供給坑を立坑と横坑からなる構成とし、水供給坑を作業坑と独立して設けたために、作業坑と水供給坑の掘削を同時並行的に行うことができ、これにより、貯蔵槽の掘削工程が人工水封の設置工程に影響されることなく、全体の工期を短縮することが可能である。
さらに、水供給坑内の水位を増加させることにより、岩盤に対して高い水圧を作用させることができ、水封を完全に行うことができる。また、この際、従来とは異なり、作業坑側に水が漏出する心配がなく、プラグや堰等の余分な対策費が必要とならない。
【００４９】
請求項２に係る岩盤内貯蔵施設においては、水供給坑を貯蔵槽の延在方向に複数設けることとしたために、これら複数の水供給坑により、岩盤内において貯蔵槽の掘削を開始する端部側から順次人工水封を設置することができ、従来、人工水封の設置に比較的時間を要していた場合においても、人工水封の設置作業に合わせて貯蔵槽を掘り進めていくことにより、工期の長期化を避けることが可能である。さらに、この場合、水供給坑の掘削用の機械を他の水供給坑を掘削する際にも転用することができ、これにより、水封設置に係るコストの削減を図ることができる。
【００５０】
請求項３に係る岩盤内貯蔵施設においては、水供給坑を立坑、横坑、およびボーリング孔からなる構成としたために、長尺のボーリング機械を用いるようにすれば、横坑の深度を大きくする必要がなくなる。さらに、立坑および横坑の寸法は、ボーリング機械を搬入して稼働できるだけの大きさに形成すればよく、これらにより、従来に比較して、掘削土量およびずり処分量を少なくすることができ、なおかつ、工期を短縮化することができ、従来に比較して建設コストの削減を図ることができる。
さらに、ボーリング機械の能力を選定すれば、横坑の深さ位置を限定する必要がなくなるため、横坑を、岩盤内における掘削の容易性や地質の安定性等を勘案して最良の位置に設置することが可能であり、これにより、従来に比較して施設の施工性および安定性の向上を図ることができる。
【００５１】
請求項４に係る岩盤内貯蔵施設の構築方法によれば、作業坑を掘削すると同時に水供給坑を形成し、さらに、水供給坑を用いて岩盤内に対して人工的に水圧を作用させた後に、貯蔵槽の掘削を開始する構成とされているために、作業坑の掘削工程と水供給坑の掘削工程とを同時期に行うことができ、作業坑の掘削工程の後に行われる貯蔵槽の掘削工程が、人工水封の設置工程の進行状況に影響を受ける心配がない。これにより、従来に比較して、工期を短縮化することが可能である。
【００５２】
請求項５に係る岩盤内貯蔵施設の構築方法によれば、貯蔵槽の掘削方向に複数の水供給坑を順次形成していき、これにより、岩盤内において貯蔵槽の掘削方向に人工水封を順次設置していくとともに、人工水封の設置作業の進行状況に合わせて、順次貯蔵槽を掘り進めていく構成としたため、貯蔵槽が大規模で人工水封の設置に比較的時間がかかる場合においても、貯蔵槽の構築作業と人工水封の設置作業を同時並行的に行うことによって、工期の短縮化を図ることができる。さらに、この場合、水供給坑の掘削に必要な機械を、別の水供給坑を形成するにあたって順次転用していくことが可能であるために、建設コストの削減を併せて図ることができる。
【図面の簡単な説明】
【図１】  本発明の一実施の形態を模式的に示す岩盤内貯蔵施設の斜視図である。
【図２】  本発明の従来の技術に係る原理を説明するための、貯蔵施設の断面図である。
【図３】  本発明の従来の技術を示すための人工水封方式を用いた岩盤内貯蔵施設の斜視図である。
【図４】  図３に示した岩盤内貯蔵施設において、ボーリング孔内に注入された水に対して水圧を作用させる際の状況を示す、ボーリング孔の基端部の拡大断面図である。
【図５】  図３に示した岩盤内貯蔵施設において、水封トンネルに水を満たした際の状況を示す断面図である。
【符号の説明】
２  岩盤
３  貯蔵槽
９  地表面
１０  作業坑
２１  岩盤内貯蔵施設
２２  水供給坑
２４  立坑
２５  横坑
２６  ボーリング孔
【図１】
0003648669.tif 000002
【図２】
0003648669.tif 000003
【図３】
0003648669.tif 000004
【図４】
0003648669.tif 000005
【図５】
0003648669.tif 000006